(57)【要約】【課題】ユーザが購入しようとしている衣服と所有している衣服のコーディネイトを行い、第三者にそのコーディネイトの判定を促す。【解決手段】過去に購入した衣服の情報およびコーディネイトを行う衣服の情報を格納し、少なくともカタログ形式でコーディネイトを行う衣服を表示する。次に、表示された衣服の中からユーザが気に入った衣服を選択し、選択した衣服とコーディネイトする衣服を格納された衣服の情報から検索する。そして、ユーザが選択した衣服と検索した衣服との画像をソーシャルネットワークサイトへ良し悪しの投票を求めるテキスト情報とともにアップロードし、所定時間の経過後に、投票結果を受信する。【選択図】図３
2013196420.tif 000002
【特許請求の範囲】
【請求項１】
過去に購入した衣服の情報およびコーディネイトを行う衣服の情報を格納する格納手段と、
少なくともカタログ形式でコーディネイトを行う衣服を表示する表示手段と、
該表示された衣服の中からユーザが気に入った衣服を選択する選択手段と、
該選択した衣服とコーディネイトする衣服を前記格納された衣服の情報から検索する検索手段と、
前記ユーザが選択した衣服と該検索した衣服との画像をソーシャルネットワークサイトへ良し悪しの投票を求めるテキスト情報とともにアップロードするアップロード手段と、
所定時間の経過後に、投票結果を受信する受信手段と、
を備えたことを特徴とするコーディネイト判定装置。
【請求項２】
過去に購入した衣服の情報およびコーディネイトを行う衣服の情報を格納する格納手段と、
カタログ形式で衣服を表示する表示手段と、
該表示された衣服の中からユーザが気に入った衣服を選択する選択手段と、
該選択した衣服とコーディネイトする衣服を前記格納された衣服の情報から検索する検索手段と、
前記ユーザが選択した衣服と該検索した衣服との画像をソーシャルネットワークサイトへ良し悪しのコメントを求めるテキスト情報とともにアップロードするアップロード手段と、
所定時間の経過後に、コメントの集計結果を受信する受信手段と、
を備えたことを特徴とするコーディネイト判定装置。
【請求項３】
前記検索手段が、
前記ユーザが選択した衣服の画像から色を抽出する色抽出手段と、
前記ユーザが選択した衣服の種類を判別する種類判別手段と、
を備え、
前記抽出した色と判別した衣服の種類に基づいて、配色技法により、コーディネイトに適した衣服を前記格納された衣服の情報から検索することを特徴とする請求項１または請求項２に記載のコーディネイト判定装置。
【請求項４】
前記ユーザが選択した衣服に複数の色がある場合に、前記色抽出手段が、最も広い面積で用いられている色を抽出することを特徴とする請求項３に記載のコーディネイト判定装置。
【請求項５】
前記検索手段が、
前記ユーザが選択した衣服の色をメタ情報から抽出する色抽出手段と、
前記ユーザが選択した衣服の種類をメタ情報から判別する種類判別手段と、
を備え、
前記抽出した色と判別した衣服の種類に基づいて、配色技法により、コーディネイトに適した衣服を前記格納された衣服の情報から検索することを特徴とする請求項１または請求項２に記載のコーディネイト判定装置。
【請求項６】
前記表示手段が、コメントの集計結果あるいは投票結果に基づいて、コーディネイト画像とコメント内容あるいは投票数を表示することを特徴とする請求項１または請求項２に記載のコーディネイト判定装置。
【請求項７】
前記請求項１から請求項６に記載のコーディネイト判定装置を備えた携帯端末。
【請求項８】
ユーザ端末と、前記ユーザ端末とネットワークを介して接続された衣服のコーディネイトを判定するコーディネイト判定装置と、からなるコーディネイト判定システムであって、
前記コーディネイト判定装置が、
過去に購入した衣服の情報およびコーディネイトを行う衣服の情報を格納する格納手段と、
少なくともカタログ形式でコーディネイトを行う衣服を表示する表示情報を前記ユーザ端末に送信する表示情報送信手段と、
ユーザが選択した衣服とコーディネイトする衣服を前記格納された衣服の情報から検索する検索手段と、
前記ユーザが選択した衣服と該検索した衣服との画像をソーシャルネットワークサイトへ良し悪しの投票を求めるテキスト情報とともにアップロードするアップロード手段と、
所定時間の経過後に、投票結果を受信する受信手段と、
少なくとも該受信した投票結果を前記ユーザ端末に送信する投票結果送信手段と、
を備え、
前記ユーザ端末が、
少なくとも受信した表示情報に基づいて、カタログ形式でコーディネイトを行う衣服を表示する表示手段と、
該表示された衣服の中からユーザが気に入った衣服を選択する選択手段と、
少なくとも投票結果を受信する投票結果受信手段と、
を備えたことを特徴とするコーディネイト判定システム。
【請求項９】
ユーザ端末と、前記ユーザ端末とネットワークを介して接続された衣服のコーディネイトを判定するコーディネイト判定装置と、からなるコーディネイト判定システムであって、
前記コーディネイト判定装置が、
過去に購入した衣服の情報およびコーディネイトを行う衣服の情報を格納する格納手段と、
少なくともカタログ形式でコーディネイトを行う衣服を表示する表示情報を前記ユーザ端末に送信する表示情報送信手段と、
ユーザが選択した衣服とコーディネイトする衣服を前記格納された衣服の情報から検索する検索手段と、
前記ユーザが選択した衣服と該検索した衣服との画像をソーシャルネットワークサイトへ良し悪しのコメントを求めるテキスト情報とともにアップロードするアップロード手段と、
所定時間の経過後に、コメントを受信する受信手段と、
少なくとも該受信したコメントを前記ユーザ端末に送信するコメント送信手段と、
を備え、
前記ユーザ端末が、
少なくとも受信した表示情報に基づいて、カタログ形式でコーディネイトを行う衣服を表示する表示手段と、
該表示された衣服の中からユーザが気に入った衣服を選択する選択手段と、
少なくともコメントを受信するコメント受信手段と、
を備えたことを特徴とするコーディネイト判定システム。
【請求項１０】
前記検索手段が、
前記ユーザが選択した衣服の画像から色を抽出する色抽出手段と、
前記ユーザが選択した衣服の種類を判別する種類判別手段と、
を備え、
前記抽出した色と判別した衣服の種類に基づいて、配色技法により、コーディネイトに適した衣服を前記格納された衣服の情報から検索することを特徴とする請求項８または請求項９に記載のコーディネイト判定システム。
【請求項１１】
前記ユーザが選択した衣服に複数の色がある場合に、前記色抽出手段が、最も広い面積で用いられている色を抽出することを特徴とする請求項１０に記載のコーディネイト判定システム。
【請求項１２】
前記検索手段が、
前記ユーザが選択した衣服の色をメタ情報から抽出する色抽出手段と、
前記ユーザが選択した衣服の種類をメタ情報から判別する種類判別手段と、
を備え、
前記抽出した色と判別した衣服の種類に基づいて、配色技法により、コーディネイトに適した衣服を前記格納された衣服の情報から検索することを特徴とする請求項８または請求項９に記載のコーディネイト判定システム。
【請求項１３】
前記表示手段が、コメントの集計結果あるいは投票結果に基づいて、コーディネイト画像とコメント内容あるいは投票数を表示することを特徴とする請求項８または請求項９に記載のコーディネイト判定システム。
【請求項１４】
過去に購入した衣服の情報およびコーディネイトを行う衣服の情報を格納し、表示手段が、少なくともカタログ形式でコーディネイトを行う衣服を表示する第１のステップと、
選択手段が、該表示された衣服の中からユーザが気に入った衣服を選択する第２のステップと、
検索手段が、該選択した衣服とコーディネイトする衣服を前記格納された衣服の情報から検索する第３のステップと、
アップロード手段が、前記ユーザが選択した衣服と該検索した衣服との画像をソーシャルネットワークサイトへ良し悪しの投票を求めるテキスト情報とともにアップロードする第４のステップと、
受信手段が、所定時間の経過後に、投票結果を受信する第５のステップと、
を備えたことを特徴とするコーディネイト判定方法。
【請求項１５】
過去に購入した衣服の情報およびコーディネイトを行う衣服の情報を格納し、表示手段が、少なくともカタログ形式でコーディネイトを行う衣服を表示する第１のステップと、
選択手段が、該表示された衣服の中からユーザが気に入った衣服を選択する第２のステップと、
検索手段が、該選択した衣服とコーディネイトする衣服を前記格納された衣服の情報から検索する第３のステップと、
アップロード手段が、前記ユーザが選択した衣服と該検索した衣服との画像をソーシャルネットワークサイトへ良し悪しの投票を求めるテキスト情報とともにアップロードする第４のステップと、
受信手段が、所定時間の経過後に、投票結果を受信する第５のステップと、
をコンピュータに実行させるためのプログラム。
【発明の詳細な説明】
【技術分野】
【０００１】
本発明は、ユーザが購入しようとしている衣服と所有している衣服のコーディネイトを行い、第三者にそのコーディネイトの判定を促すコーディネイト判定装置、コーディネイト判定システム、コーディネイト判定方法およびプログラムに関する。
【背景技術】
【０００２】
例えば、現在の洋服のネットショッピングでは、画像で商品の色合いや形状を確認したり、サイズ等の詳細情報から、その商品を購入するかどうかの判断をしている。これに対して、購入しようとしている商品に色彩等があう商品（コーディネイト商品）情報を自動で提示する技術が開示されている（例えば、特許文献１参照。）。
【先行技術文献】
【特許文献】
【０００３】
【特許文献１】特開２００２−２５１５４７号公報
【発明の概要】
【発明が解決しようとする課題】
【０００４】
しかしながら、洋服等の服飾品では、そのもの単体でなく、組合せ（コーディネイト）が重要な要素になってくるが、現状のネットショッピングでは、販売している商品の善し悪しだけで購入判断するようになっており、購入者の持っている洋服が購入しようとしているものと合うかどうか、の判断をしにくい状況である。また、上記の従来の技術では、色合い等の情報のみで自己中心的な判断をしており、周りの友人等にどう見えるかが考慮されていない問題点がある。
【０００５】
そこで、本発明は、上述の課題に鑑みてなされたものであり、ユーザが購入しようとしている衣服と所有している衣服のコーディネイトを行い、第三者にそのコーディネイトの判定を促すコーディネイト判定装置、コーディネイト判定システム、コーディネイト判定方法およびプログラムを提供することを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、過去に購入した衣服の情報およびコーディネイトを行う衣服の情報を格納する格納手段（例えば、図１の格納部１００に相当）と、少なくともカタログ形式でコーディネイトを行う衣服を表示する表示手段（例えば、図１の表示部２００に相当）と、該表示された衣服の中からユーザが気に入った衣服を選択する選択手段（例えば、図１の選択部３００に相当）と、該選択した衣服とコーディネイトする衣服を前記格納された衣服の情報から検索する検索手段（例えば、図１の検索部４００に相当）と、前記ユーザが選択した衣服と該検索した衣服との画像をソーシャルネットワークサイトへ良し悪しの投票を求めるテキスト情報とともにアップロードするアップロード手段（例えば、図１のアップロード部５００に相当）と、所定時間の経過後に、投票結果を受信する受信手段（例えば、図１の受信部６００に相当）と、を備えたことを特徴とするコーディネイト判定装置を提案している。
【０００８】
この発明によれば、格納手段は、過去に購入した衣服の情報およびコーディネイトを行う衣服の情報を格納する。表示手段は、少なくともカタログ形式でコーディネイトを行う衣服を表示する。選択手段は、表示された衣服の中からユーザが気に入った衣服を選択する。検索手段は、選択した衣服とコーディネイトする衣服を格納された衣服の情報から検索する。アップロード手段は、ユーザが選択した衣服と検索した衣服との画像をソーシャルネットワークサイトへ良し悪しの投票を求めるテキスト情報とともにアップロードする。受信手段は、所定時間の経過後に、投票結果を受信する。したがって、ユーザが購入しようとしている衣服と所有している衣服のコーディネイトを行い、第三者にそのコーディネイトの判定を促すことができるため、多くの人の意見を取り入れながら、衣服を購入できる。
【０００９】
（２）本発明は、過去に購入した衣服の情報およびコーディネイトを行う衣服の情報を格納する格納手段と、カタログ形式で衣服を表示する表示手段と、該表示された衣服の中からユーザが気に入った衣服を選択する選択手段と、該選択した衣服とコーディネイトする衣服を前記格納された衣服の情報から検索する検索手段と、前記ユーザが選択した衣服と該検索した衣服との画像をソーシャルネットワークサイトへ良し悪しのコメントを求めるテキスト情報とともにアップロードするアップロード手段（例えば、図４のアップロード部５１０に相当）と、所定時間の経過後に、コメントの集計結果を受信する受信手段（例えば、図４の受信部６１０に相当）と、を備えたことを特徴とするコーディネイト判定装置を提案している。
【００１０】
この発明によれば、格納手段は、過去に購入した衣服の情報およびコーディネイトを行う衣服の情報を格納する。表示手段は、少なくともカタログ形式でコーディネイトを行う衣服を表示する。選択手段は、表示された衣服の中からユーザが気に入った衣服を選択する。検索手段は、選択した衣服とコーディネイトする衣服を格納された衣服の情報から検索する。アップロード手段は、ユーザが選択した衣服と検索した衣服との画像をソーシャルネットワークサイトへ良し悪しのコメントを求めるテキスト情報とともにアップロードする。受信手段は、所定時間の経過後に、投票結果を受信する。したがって、ユーザが購入しようとしている衣服と所有している衣服のコーディネイトを行い、第三者にそのコーディネイトの判定を促すことができるため、多くの人の意見を取り入れながら、衣服を購入できる。また、第三者からのコメントを入手できるので、単なる良し悪しだけでなく、アドバイスや最近のトレンドに関する情報等を受けることもできる。
【００１１】
（３）本発明は、（１）または（２）のコーディネイト判定装置について、前記検索手段が、前記ユーザが選択した衣服の画像から色を抽出する色抽出手段（例えば、図２の色抽出部４１０に相当）と、前記ユーザが選択した衣服の種類を判別する種類判別手段（例えば、図２の種類判別部４２０に相当）と、を備え、前記抽出した色と判別した衣服の種類に基づいて、配色技法により、コーディネイトに適した衣服を前記格納された衣服の情報から検索することを特徴とするコーディネイト判定装置を提案している。
【００１２】
この発明によれば、色抽出手段は、ユーザが選択した衣服の画像から色を抽出する。種類判別手段は、ユーザが選択した衣服の種類を判別する。そして、抽出した色と判別した衣服の種類に基づいて、配色技法により、コーディネイトに適した衣服を格納された衣服の情報から検索する。したがって、配色技法を用いることにより、色彩の面からコーディネイトの判断を正確に行うことができる。
【００１３】
（４）本発明は、（３）のコーディネイト判定装置について、前記ユーザが選択した衣服に複数の色がある場合に、前記色抽出手段が、最も広い面積で用いられている色を抽出することを特徴とするコーディネイト判定装置を提案している。
【００１４】
この発明によれば、ユーザが選択した衣服に複数の色がある場合に、色抽出手段が、最も広い面積で用いられている色を抽出する。したがって、衣服に複数の色がある場合に、最も広い面積で用いられている色を抽出し、これを代表的な色とすることから、色彩の面からコーディネイトの判断を正確に行うことができる。
【００１５】
（５）本発明は、（１）または（２）のコーディネイト判定装置について、前記検索手段が、前記ユーザが選択した衣服の色をメタ情報から抽出する色抽出手段と、前記ユーザが選択した衣服の種類をメタ情報から判別する種類判別手段と、を備え、前記抽出した色と判別した衣服の種類に基づいて、配色技法により、コーディネイトに適した衣服を前記格納された衣服の情報から検索することを特徴とするコーディネイト判定装置を提案している。
【００１６】
この発明によれば、色抽出手段は、ユーザが選択した衣服の色をメタ情報から抽出する。種類判別手段は、ユーザが選択した衣服の種類をメタ情報から判別する。そして、抽出した色と判別した衣服の種類に基づいて、配色技法により、コーディネイトに適した衣服を格納された衣服の情報から検索する。したがって、メタ情報がある場合には、そのメタ情報から色と種類を特定し、配色技法を用いて、コーディネイトを行うため、色彩の面からコーディネイトの判断を正確に行うことができる。
【００１７】
（６）本発明は、（１）または（２）のコーディネイト判定装置について、前記表示手段が、コメントの集計結果あるいは投票結果に基づいて、コーディネイト画像とコメント内容あるいは投票数を表示することを特徴とするコーディネイト判定装置を提案している。
【００１８】
この発明によれば、表示手段が、コメントの集計結果あるいは投票結果に基づいて、コーディネイト画像とコメント内容あるいは投票数を表示する。したがって、ユーザは、そのコーディネイトについて、第三者の反応を正確に認知することができる。
【００１９】
（７）本発明は、前記請求項１から請求項６に記載のコーディネイト判定装置を備えた携帯端末を提案している。
【００２０】
この発明によれば、ユーザ端末にコーディネイト判定装置が設けられている。したがって、ユーザ端末のみで、コーディネイトを行い、その良し悪しを第三者の反応から知ることができる。
【００２１】
（８）本発明は、ユーザ端末と、前記ユーザ端末（例えば、図６のユーザ端末２０００に相当）とネットワークを介して接続された衣服のコーディネイトを判定するコーディネイト判定装置（例えば、図６のコーディネイト判定装置１０００に相当）と、からなるコーディネイト判定システムであって、前記コーディネイト判定装置が、過去に購入した衣服の情報およびコーディネイトを行う衣服の情報を格納する格納手段（例えば、図７の格納部１１００に相当）と、少なくともカタログ形式でコーディネイトを行う衣服を表示する表示情報を前記ユーザ端末に送信する表示情報送信手段と、ユーザが選択した衣服とコーディネイトする衣服を前記格納された衣服の情報から検索する検索手段（例えば、図７の検索部１２００に相当）と、前記ユーザが選択した衣服と該検索した衣服との画像をソーシャルネットワークサイトへ良し悪しの投票を求めるテキスト情報とともにアップロードするアップロード手段（例えば、図７のアップロード部１３００に相当）と、所定時間の経過後に、投票結果を受信する受信手段（例えば、図７の受信部１４００に相当）と、少なくとも該受信した投票結果を前記ユーザ端末に送信する投票結果送信手段（例えば、図７の送信部１５００に相当）と、を備え、前記ユーザ端末が、少なくとも受信した表示情報に基づいて、カタログ形式でコーディネイトを行う衣服を表示する表示手段（例えば、図８の表示部２１００に相当）と、該表示された衣服の中からユーザが気に入った衣服を選択する選択手段（例えば、図８の選択部２２００に相当）と、少なくとも投票結果を受信する投票結果受信手段（例えば、図８の受信部２３００に相当）と、を備えたことを特徴とするコーディネイト判定システムを提案している。
【００２２】
この発明によれば、コーディネイト判定装置の格納手段は、過去に購入した衣服の情報およびコーディネイトを行う衣服の情報を格納する。表示情報送信手段は、少なくともカタログ形式でコーディネイトを行う衣服を表示する表示情報をユーザ端末に送信する。検索手段は、ユーザが選択した衣服とコーディネイトする衣服を格納された衣服の情報から検索する。アップロード手段は、ユーザが選択した衣服と検索した衣服との画像をソーシャルネットワークサイトへ良し悪しの投票を求めるテキスト情報とともにアップロードする。受信手段は、所定時間の経過後に、投票結果を受信する。投票結果送信手段は、少なくとも受信した投票結果をユーザ端末に送信する。ユーザ端末の表示手段は、少なくとも受信した表示情報に基づいて、カタログ形式でコーディネイトを行う衣服を表示する。選択手段は、該表示された衣服の中からユーザが気に入った衣服を選択する。投票結果受信手段は、少なくとも投票結果を受信する。したがって、ユーザが購入しようとしている衣服と所有している衣服のコーディネイトを行い、第三者にそのコーディネイトの判定を促すことができるため、多くの人の意見を取り入れながら、衣服を購入できる。また、ユーザ端末の処理負荷を軽減することができる。
【００２３】
（９）本発明は、ユーザ端末と、前記ユーザ端末とネットワークを介して接続された衣服のコーディネイトを判定するコーディネイト判定装置と、からなるコーディネイト判定システムであって、前記コーディネイト判定装置が、過去に購入した衣服の情報およびコーディネイトを行う衣服の情報を格納する格納手段（例えば、図１１の格納部１１００に相当）と、少なくともカタログ形式でコーディネイトを行う衣服を表示する表示情報を前記ユーザ端末に送信する表示情報送信手段と、ユーザが選択した衣服とコーディネイトする衣服を前記格納された衣服の情報から検索する検索手段（例えば、図１１の検索部１２００に相当）と、前記ユーザが選択した衣服と該検索した衣服との画像をソーシャルネットワークサイトへ良し悪しのコメントを求めるテキスト情報とともにアップロードするアップロード手段（例えば、図１１のアップロード部１３１０に相当）と、所定時間の経過後に、コメントを受信する受信手段（例えば、図１１の受信部１４１０に相当）と、少なくとも該受信したコメントを前記ユーザ端末に送信するコメント送信手段（例えば、図１１の送信部１５１０に相当）と、を備え、前記ユーザ端末が、少なくとも受信した表示情報に基づいて、カタログ形式でコーディネイトを行う衣服を表示する表示手段と、該表示された衣服の中からユーザが気に入った衣服を選択する選択手段と、少なくともコメントを受信するコメント受信手段と、を備えたことを特徴とするコーディネイト判定システムを提案している。
【００２４】
この発明によれば、コーディネイト判定装置の格納手段は、過去に購入した衣服の情報およびコーディネイトを行う衣服の情報を格納する。表示情報送信手段は、少なくともカタログ形式でコーディネイトを行う衣服を表示する表示情報をユーザ端末に送信する。検索手段は、ユーザが選択した衣服とコーディネイトする衣服を格納された衣服の情報から検索する。アップロード手段は、ユーザが選択した衣服と検索した衣服との画像をソーシャルネットワークサイトへ良し悪しのコメントを求めるテキスト情報とともにアップロードする。受信手段は、所定時間の経過後に、コメントを受信する。コメント送信手段は、少なくとも受信したコメントをユーザ端末に送信する。ユーザ端末の表示手段は、少なくとも受信した表示情報に基づいて、カタログ形式でコーディネイトを行う衣服を表示する。選択手段は、該表示された衣服の中からユーザが気に入った衣服を選択する。コメント受信手段は、少なくともコメントを受信する。したがって、ユーザが購入しようとしている衣服と所有している衣服のコーディネイトを行い、第三者にそのコーディネイトの判定を促すことができるため、多くの人の意見を取り入れながら、衣服を購入できる。また、ユーザ端末の処理負荷を軽減することができる。さらに、第三者からのコメントを入手できるので、単なる良し悪しだけでなく、アドバイスや最近のトレンドに関する情報等を受けることもできる。
【００２５】
（１０）本発明は、（８）または（９）のコーディネイト判定システムについて、前記検索手段が、前記ユーザが選択した衣服の画像から色を抽出する色抽出手段（例えば、図９の色抽出部１２１０に相当）と、前記ユーザが選択した衣服の種類を判別する種類判別手段（例えば、図９の種類判別部１２２０に相当）と、を備え、前記抽出した色と判別した衣服の種類に基づいて、配色技法により、コーディネイトに適した衣服を前記格納された衣服の情報から検索することを特徴とするコーディネイト判定システムを提案している。
【００２６】
この発明によれば、色抽出手段は、ユーザが選択した衣服の画像から色を抽出する。種類判別手段は、ユーザが選択した衣服の種類を判別する。そして、抽出した色と判別した衣服の種類に基づいて、配色技法により、コーディネイトに適した衣服を格納された衣服の情報から検索する。したがって、配色技法を用いることにより、色彩の面からコーディネイトの判断を正確に行うことができる。
【００２７】
（１１）本発明は、（１０）のコーディネイト判定システムについて、前記ユーザが選択した衣服に複数の色がある場合に、前記色抽出手段が、最も広い面積で用いられている色を抽出することを特徴とするコーディネイト判定システムを提案している。
【００２８】
この発明によれば、ユーザが選択した衣服に複数の色がある場合に、色抽出手段が、最も広い面積で用いられている色を抽出する。したがって、衣服に複数の色がある場合に、最も広い面積で用いられている色を抽出し、これを代表的な色とすることから、色彩の面からコーディネイトの判断を正確に行うことができる。
【００２９】
（１２）本発明は、（８）または（９）のコーディネイト判定システムについて、前記検索手段が、前記ユーザが選択した衣服の色をメタ情報から抽出する色抽出手段と、前記ユーザが選択した衣服の種類をメタ情報から判別する種類判別手段と、を備え、前記抽出した色と判別した衣服の種類に基づいて、配色技法により、コーディネイトに適した衣服を前記格納された衣服の情報から検索することを特徴とするコーディネイト判定システムを提案している。
【００３０】
この発明によれば、色抽出手段は、ユーザが選択した衣服の色をメタ情報から抽出する。種類判別手段は、ユーザが選択した衣服の種類をメタ情報から判別する。そして、抽出した色と判別した衣服の種類に基づいて、配色技法により、コーディネイトに適した衣服を格納された衣服の情報から検索する。したがって、メタ情報がある場合には、そのメタ情報から色と種類を特定し、配色技法を用いて、コーディネイトを行うため、色彩の面からコーディネイトの判断を正確に行うことができる。
【００３１】
（１３）本発明は、（８）または（９）のコーディネイト判定システムについて、前記表示手段が、コメントの集計結果あるいは投票結果に基づいて、コーディネイト画像とコメント内容あるいは投票数を表示することを特徴とするコーディネイト判定システムを提案している。
【００３２】
この発明によれば、表示手段が、コメントの集計結果あるいは投票結果に基づいて、コーディネイト画像とコメント内容あるいは投票数を表示する。したがって、ユーザは、そのコーディネイトについて、第三者の反応を正確に認知することができる。
【００３３】
（１４）本発明は、過去に購入した衣服の情報およびコーディネイトを行う衣服の情報を格納し、表示手段が、少なくともカタログ形式でコーディネイトを行う衣服を表示する第１のステップ（例えば、図３のステップＳ１０１に相当）と、選択手段が、該表示された衣服の中からユーザが気に入った衣服を選択する第２のステップ（例えば、図３のステップＳ１０２に相当）と、検索手段が、該選択した衣服とコーディネイトする衣服を前記格納された衣服の情報から検索する第３のステップ（例えば、図３のステップＳ１０３に相当）と、アップロード手段が、前記ユーザが選択した衣服と該検索した衣服との画像をソーシャルネットワークサイトへ良し悪しの投票を求めるテキスト情報とともにアップロードする第４のステップ（例えば、図３のステップＳ１０４に相当）と、受信手段が、所定時間の経過後に、投票結果を受信する第５のステップ（例えば、図３のステップＳ１０５に相当）と、を備えたことを特徴とするコーディネイト判定方法を提案している。
【００３４】
この発明によれば、過去に購入した衣服の情報およびコーディネイトを行う衣服の情報を格納し、少なくともカタログ形式でコーディネイトを行う衣服を表示する。次に、表示された衣服の中からユーザが気に入った衣服を選択し、選択した衣服とコーディネイトする衣服を格納された衣服の情報から検索する。そして、ユーザが選択した衣服と検索した衣服との画像をソーシャルネットワークサイトへ良し悪しの投票を求めるテキスト情報とともにアップロードし、所定時間の経過後に、投票結果を受信する。したがって、ユーザが購入しようとしている衣服と所有している衣服のコーディネイトを行い、第三者にそのコーディネイトの判定を促すことができるため、多くの人の意見を取り入れながら、衣服を購入できる。
【００３５】
（１５）本発明は、過去に購入した衣服の情報およびコーディネイトを行う衣服の情報を格納し、表示手段が、少なくともカタログ形式でコーディネイトを行う衣服を表示する第１のステップ（例えば、図３のステップＳ１０１に相当）と、選択手段が、該表示された衣服の中からユーザが気に入った衣服を選択する第２のステップ（例えば、図３のステップＳ１０２に相当）と、検索手段が、該選択した衣服とコーディネイトする衣服を前記格納された衣服の情報から検索する第３のステップ（例えば、図３のステップＳ１０３に相当）と、アップロード手段が、前記ユーザが選択した衣服と該検索した衣服との画像をソーシャルネットワークサイトへ良し悪しの投票を求めるテキスト情報とともにアップロードする第４のステップ（例えば、図３のステップＳ１０４に相当）と、受信手段が、所定時間の経過後に、投票結果を受信する第５のステップ（例えば、図３のステップＳ１０５に相当）と、をコンピュータに実行させるためのプログラムを提案している。
【００３６】
この発明によれば、過去に購入した衣服の情報およびコーディネイトを行う衣服の情報を格納し、少なくともカタログ形式でコーディネイトを行う衣服を表示する。次に、表示された衣服の中からユーザが気に入った衣服を選択し、選択した衣服とコーディネイトする衣服を格納された衣服の情報から検索する。そして、ユーザが選択した衣服と検索した衣服との画像をソーシャルネットワークサイトへ良し悪しの投票を求めるテキスト情報とともにアップロードし、所定時間の経過後に、投票結果を受信する。したがって、ユーザが購入しようとしている衣服と所有している衣服のコーディネイトを行い、第三者にそのコーディネイトの判定を促すことができるため、多くの人の意見を取り入れながら、衣服を購入できる。
【発明の効果】
【００３７】
本発明によれば、ユーザが購入しようとしている衣服と所有している衣服のコーディネイトを行い、第三者にそのコーディネイトの判定を促すことができるため、多くの人の意見を取り入れながら、衣服を購入できるという効果がある。また、衝動買いを防止できるため、せっかく購入しても一度も着ない等の無駄を防止できるという効果がある。
【図面の簡単な説明】
【００３８】
【図１】本発明の第１の実施形態に係るコーディネイト判定装置の構成を示す図である。
【図２】本発明の第１の実施形態に係る検索部の詳細な構成を示す図である。
【図３】本発明の第１の実施形態に係るコーディネイト判定装置の処理を示す図である。
【図４】本発明の第２の実施形態に係るコーディネイト判定装置の構成を示す図である。
【図５】本発明の第２の実施形態に係るコーディネイト判定装置の処理を示す図である。
【図６】本発明の第３の実施形態に係るコーディネイト判定システムの構成を示す図である。
【図７】本発明の第３の実施形態に係るコーディネイト判定装置の構成を示す図である。
【図８】本発明の第３の実施形態に係る検索部の詳細な構成を示す図である。
【図９】本発明の第３の実施形態に係るユーザ端末の構成を示す図である。
【図１０】本発明の第３の実施形態に係るコーディネイト判定システムの処理を示す図である。
【図１１】本発明の第４の実施形態に係るコーディネイト判定装置の構成を示す図である。
【図１２】本発明の第４の実施形態に係るコーディネイト判定システムの処理を示す図である。
【発明を実施するための形態】
【００３９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４０】
＜第１の実施形態＞
図１から図３を用いて、本発明の第１の実施形態について説明する。
【００４１】
＜コーディネイト判定装置の構成＞
図１を用いて、本発明の第１の実施形態に係るコーディネイト判定装置の構成について説明する。
【００４２】
図１に示すように、本実施形態に係るコーディネイト判定装置は、格納部１００と、表示部２００と、選択部３００と、検索部４００と、アップロード部５００と、受信部６００とから構成されている。
【００４３】
格納部１００は、過去に購入した衣服の情報およびコーディネイトを行う衣服の情報を格納する。具体的には、ネットショッピングで購入した場合には、その購入履歴を、実際の店舗で購入した場合は衣服を撮影し画像等をアップロードすることにより格納される。表示部２００は、カタログ形式でコーディネイトを行う衣服を表示する。また、投票結果に基づいて、コーディネイト画像と投票数を表示する。選択部３００は、表示された衣服の中からユーザが気に入った衣服を選択する。
【００４４】
検索部４００は、選択した衣服とコーディネイトする衣服を格納された衣服の情報から検索する。なお、さらに、詳しい構成については、後述する。
【００４５】
アップロード部５００は、ユーザが選択した衣服と検索した衣服との画像をソーシャルネットワークサイトへ良し悪しの投票を求めるテキスト情報とともにアップロードする。受信部６００は、所定時間の経過後に、投票結果を受信する。
【００４６】
＜検索部の詳細構成＞
図２を用いて、検索部４００の詳細な構成について説明する。
【００４７】
図２に示すように、本実施形態に係る検索部４００は、色抽出部４１０と、種類判別部４２０とから構成されている。
【００４８】
色抽出部４１０は、ユーザが選択した衣服の画像から色を抽出する。なお、メタ情報は衣服の色や種類（トップス、ボトムスやさらに詳細な種類のシャツ、Ｔシャツ、ジャケット、スカート、パンツ等）など、衣服に紐づく情報であり、ネットショッピングで購入した場合は購入サイトから、実際の店舗で購入した場合はユーザによる入力（画像アップロード時に入力）される。したがって、衣服のメタ情報として色の情報がある場合には、それを利用してもよい。また、複数の色から構成されている場合には、最も面積の大きい色を抽出する。
【００４９】
種類判別部４２０は、ユーザが選択した衣服の画像からその種類を判別する。なお、衣服のメタ情報として種類の情報がある場合には、それを利用してもよい。ここで、衣服の種類としては、例えば、トップスやボトムスであり、選択した衣服がトップスの場合ボトムスを、ボトムスの場合トップスをコーディネイトの対象にする。なお、衣服の種類としては、上記以外にも、ジャケットとシャツの組み合わせやトップスとトップスの組み合わせ等も含まれる。
【００５０】
また、格納部１００の情報からコーディネイトをする衣服を選択するために、それぞれについて、色を抽出する。そして、ユーザが選択した衣服の色と対象の衣服の色とが配色技法にのっとっているか判定を行う。なお、配色技法としては、トーン・オン・トーン配色(単一の色相で明度、彩度を変えた配色)やドミナントカラー配色(似た色相のみを利用する配色)、カマイユ配色(単一の色相で限られた明度、彩度を配色)等を用いる。そして、配色技法にのっとっていると判定された対象の衣服をコーディネイト対象の衣服とする。
【００５１】
＜コーディネイト判定装置の処理＞
図３を用いて、本発明の第１の実施形態に係るコーディネイト判定装置の処理について説明する。
【００５２】
まず、過去に購入した衣服の情報およびコーディネイトを行う衣服の情報を格納し、少なくともカタログ形式でコーディネイトを行う衣服を表示し（ステップＳ１０１）、表示された衣服の中からユーザが気に入った衣服を選択する（ステップＳ１０２）。
【００５３】
次に、選択した衣服とコーディネイトする衣服を格納された衣服の情報から検索し（ステップＳ１０３）、ユーザが選択した衣服と検索した衣服との画像をソーシャルネットワークサイトへ良し悪しの投票を求めるテキスト情報とともにアップロードする（ステップＳ１０４）。そして、所定時間の経過後に、投票結果を受信する（ステップＳ１０５）。
【００５４】
以上、説明したように、本実施形態によれば、ユーザが購入しようとしている衣服と所有している衣服のコーディネイトを行い、第三者にそのコーディネイトの判定を促すことができるため、多くの人の意見を取り入れながら、衣服を購入できる。
【００５５】
＜第２の実施形態＞
図４および図５を用いて、本発明の第２の実施形態について説明する。
【００５６】
＜コーディネイト判定装置の構成＞
図４を用いて、本発明の第２の実施形態に係るコーディネイト判定装置の構成について説明する。
【００５７】
図４に示すように、本実施形態に係るコーディネイト判定装置は、格納部１００と、表示部２００と、選択部３００と、検索部４００と、アップロード部５１０と、受信部６１０とから構成されている。なお、第１の実施形態と同一の符号を付した構成要素については、同様の機能を有することから、その詳細な説明は省略する。
【００５８】
アップロード部５１０は、ユーザが選択した衣服と検索した衣服との画像をソーシャルネットワークサイトへ良し悪しのコメントを求めるテキスト情報とともにアップロードする。受信部６１０は、所定時間の経過後に、コメントの集計結果を受信する。
【００５９】
＜コーディネイト判定装置の処理＞
図５を用いて、本発明の第２の実施形態に係るコーディネイト判定装置の処理について説明する。
【００６０】
まず、過去に購入した衣服の情報およびコーディネイトを行う衣服の情報を格納し、少なくともカタログ形式でコーディネイトを行う衣服を表示し（ステップＳ２０１）、表示された衣服の中からユーザが気に入った衣服を選択する（ステップＳ２０２）。
【００６１】
次に、選択した衣服とコーディネイトする衣服を格納された衣服の情報から検索し（ステップＳ２０３）、ユーザが選択した衣服と検索した衣服との画像をソーシャルネットワークサイトへ良し悪しのコメントを求めるテキスト情報とともにアップロードする（ステップＳ２０４）。そして、所定時間の経過後に、コメントの集計結果を受信する（ステップＳ２０５）。
【００６２】
以上、説明したように、本実施形態によれば、ユーザが購入しようとしている衣服と所有している衣服のコーディネイトを行い、第三者にそのコーディネイトの判定を促すことができるため、多くの人の意見を取り入れながら、衣服を購入できる。また、多くの人からのコメントにより、衝動買いを防止できるため、せっかく購入しても一度も着ない等の無駄を防止できる。
【００６３】
＜第３の実施形態＞
図６から図１０を用いて、本発明の第３の実施形態について説明する。
【００６４】
＜コーディネイト判定システムの構成＞
図６を用いて、本発明の第３の実施形態に係るコーディネイト判定システムの構成について説明する。図６に示すように、本実施形態に係るコーディネイト判定システムは、コーディネイト判定装置１０００と、ユーザ端末２０００と、インターネット網から構成されている。以下、コーディネイト判定装置１０００およびユーザ端末２０００の構成について詳細に説明する。
【００６５】
＜コーディネイト判定装置の構成＞
図７に示すように、本実施形態に係るコーディネイト判定装置は、格納部１１００と、検索部１２００と、アップロード部１３００と、受信部１４００と、送信部１５００とから構成されている。
【００６６】
格納部１１００は、過去に購入した衣服の情報およびコーディネイトを行う衣服の情報を格納する。具体的には、ネットショッピングで購入した場合には、その購入履歴を、実際の店舗で購入した場合は衣服を撮影し画像等をアップロードすることにより格納される。検索部１２００は、選択した衣服とコーディネイトする衣服を格納された衣服の情報から検索する。なお、さらに、詳しい構成については、後述する。
【００６７】
アップロード部１３００は、ユーザが選択した衣服と検索した衣服との画像をソーシャルネットワークサイトへ良し悪しの投票を求めるテキスト情報とともにアップロードする。受信部１４００は、所定時間の経過後に、投票結果を受信する。送信部１５００は、受信した投票結果をユーザ端末に送信する。
【００６８】
＜検索部の詳細構成＞
図８を用いて、検索部１２００の詳細な構成について説明する。
【００６９】
図８に示すように、本実施形態に係る検索部１２００は、色抽出部１２１０と、種類判別部１２２０とから構成されている。
【００７０】
色抽出部１２１０は、ユーザが選択した衣服の画像から色を抽出する。なお、メタ情報は衣服の色や種類（トップス、ボトムスやさらに詳細な種類のシャツ、Ｔシャツ、ジャケット、スカート、パンツ等）など、衣服に紐づく情報であり、ネットショッピングで購入した場合は購入サイトから、実際の店舗で購入した場合はユーザによる入力（画像アップロード時に入力）される。したがって、衣服のメタ情報として色の情報がある場合には、それを利用してもよい。また、複数の色から構成されている場合には、最も面積の大きい色を抽出する。
【００７１】
種類判別部１２２０は、ユーザが選択した衣服の画像からその種類を判別する。なお、衣服のメタ情報として種類の情報がある場合には、それを利用してもよい。ここで、衣服の種類としては、例えば、トップスやボトムスであり、選択した衣服がトップスの場合ボトムスを、ボトムスの場合トップスをコーディネイトの対象にする。なお、衣服の種類としては、上記以外にも、ジャケットとシャツの組み合わせやトップスとトップスの組み合わせ等も含まれる。
【００７２】
また、格納部１１００の情報からコーディネイトをする衣服を選択するために、それぞれについて、色を抽出する。そして、ユーザが選択した衣服の色と対象の衣服の色とが配色技法にのっとっているか判定を行う。なお、配色技法としては、トーン・オン・トーン配色（単一の色相で明度、彩度を変えた配色)やドミナントカラー配色(似た色相のみを利用する配色)、カマイユ配色（単一の色相で限られた明度、彩度を配色）等を用いる。そして、配色技法にのっとっていると判定された対象の衣服をコーディネイト対象の衣服とする。
【００７３】
＜ユーザ端末の構成＞
図９を用いて、本実施形態に係るユーザ端末の構成について説明する。図９に示すように、本実施形態に係るユーザ端末は、表示部２１００と、選択部２２００と、受信部２３００とから構成されている。
【００７４】
表示部２１００は、受信した表示情報に基づいて、カタログ形式でコーディネイトを行う衣服を表示する。選択部２２００は、表示された衣服の中からユーザが気に入った衣服を選択する。受信部２３００は、投票結果を受信する。
【００７５】
＜コーディネイト判定システムの処理＞
図１０を用いて、本発明の第３の実施形態に係るコーディネイト判定システムの処理について説明する。
【００７６】
まず、コーディネイト判定装置が、過去に購入した衣服の情報およびコーディネイトを行う衣服の情報を格納し、少なくともカタログ形式でコーディネイトを行う衣服の表示情報を送信し（ステップＳ３０１）、ユーザ端末が、受信した表示情報に基づいて、カタログ形式でコーディネイトを行う衣服を表示する（ステップＳ３０２）。
【００７７】
ユーザは、表示された衣服の中からユーザが気に入った衣服を選択する（ステップＳ３０３）。次に、コーディネイト判定装置は、選択した衣服とコーディネイトする衣服を格納された衣服の情報から検索し（ステップＳ３０４）、ユーザが選択した衣服と検索した衣服との画像をソーシャルネットワークサイトへ良し悪しの投票を求めるテキスト情報とともにアップロードする（ステップＳ３０５）。そして、所定時間の経過後に、投票結果を受信し（ステップＳ３０６）、受信した投票結果をユーザ端末に送信する（ステップＳ３０７）。ユーザ端末は、投票結果を受信し、コーディネイトされた衣服の画像とともに、得票結果を表示する（ステップＳ３０８）。
【００７８】
以上、説明したように、本実施形態によれば、ユーザが購入しようとしている衣服と所有している衣服のコーディネイトを行い、第三者にそのコーディネイトの判定を促すことができるため、多くの人の意見を取り入れながら、衣服を購入できる。また、ユーザ端末の処理負荷を軽減することができる。
【００７９】
＜第４の実施形態＞
図１１および図１２を用いて、本発明の第４の実施形態について説明する。
【００８０】
＜コーディネイト判定装置の構成＞
図１１に示すように、本実施形態に係るコーディネイト判定装置は、格納部１１００と、検索部１２００と、アップロード部１３１０と、受信部１４１０と、送信部１５１０とから構成されている。なお、第１の実施形態と同一の符号を付した構成要素については、同様の機能を有することから、その詳細な説明は省略する。
【００８１】
アップロード部１３１０は、ユーザが選択した衣服と検索した衣服との画像をソーシャルネットワークサイトへ良し悪しのコメントを求めるテキスト情報とともにアップロードする。受信部１４１０は、所定時間の経過後に、コメントの集計結果を受信する。送信部１５１０は、受信したコメントの集計結果をユーザ端末に送信する。
【００８２】
＜コーディネイト判定システムの処理＞
図１２を用いて、本発明の第４の実施形態に係るコーディネイト判定システムの処理について説明する。
【００８３】
まず、コーディネイト判定装置が、過去に購入した衣服の情報およびコーディネイトを行う衣服の情報を格納し、少なくともカタログ形式でコーディネイトを行う衣服の表示情報を送信し（ステップＳ４０１）、ユーザ端末が、受信した表示情報に基づいて、カタログ形式でコーディネイトを行う衣服を表示する（ステップＳ４０２）。
【００８４】
ユーザは、表示された衣服の中からユーザが気に入った衣服を選択する（ステップＳ４０３）。次に、コーディネイト判定装置は、選択した衣服とコーディネイトする衣服を格納された衣服の情報から検索し（ステップＳ４０４）、ユーザが選択した衣服と検索した衣服との画像をソーシャルネットワークサイトへ良し悪しのコメントを求めるテキスト情報とともにアップロードする（ステップＳ４０５）。そして、所定時間の経過後に、コメントの集計結果を受信し（ステップＳ４０６）、受信したコメントの集計結果をユーザ端末に送信する（ステップＳ４０７）。ユーザ端末は、コメントの集計結果を受信し、コーディネイトされた衣服の画像とともに、コメントの集計結果を表示する（ステップＳ４０８）。
【００８５】
以上、説明したように、本実施形態によれば、ユーザが購入しようとしている衣服と所有している衣服のコーディネイトを行い、第三者にそのコーディネイトの判定を促すことができるため、多くの人の意見を取り入れながら、衣服を購入できる。また、ユーザ端末の処理負荷を軽減することができる。さらに、第三者からのコメントを入手できるので、単なる良し悪しだけでなく、アドバイスや最近のトレンドに関する情報等を受けることもできる。
【００８６】
なお、コーディネイト判定装置およびユーザ端末の処理をコンピュータ読み取り可能な記録媒体に記録し、この記録媒体に記録されたプログラムをコーディネイト判定装置およびユーザ端末に読み込ませ、実行することによって本発明のコーディネイト判定装置およびコーディネイト判定システムを実現することができる。ここでいうコンピュータシステムとは、ＯＳや周辺装置等のハードウェアを含む。
【００８７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００８８】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００８９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００９０】
１００；格納部
２００；表示部
３００；選択部
４００；検索部
４１０；色抽出部
４２０；種類判別部
５００；アップロード部
５１０；アップロード部
６００；受信部
６１０；受信部
１０００；コーディネイト判定装置
１１００；格納部
１２００；検索部
１３００；アップロード部
１３１０；アップロード部
１４００；受信部
１４１０；受信部
１５００；送信部
１５１０；送信部
２０００；ユーザ端末
２１００；表示部
２２００；選択部
２３００；受信部
【図１】
2013196420.tif 000003
【図２】
2013196420.tif 000004
【図３】
2013196420.tif 000005
【図４】
2013196420.tif 000006
【図５】
2013196420.tif 000007
【図６】
2013196420.tif 000008
【図７】
2013196420.tif 000009
【図８】
2013196420.tif 000010
【図９】
2013196420.tif 000011
【図１０】
2013196420.tif 000012
【図１１】
2013196420.tif 000013
【図１２】
2013196420.tif 000014